(57)【特許請求の範囲】
【請求項１】
水位変化量から容積を算出できる水槽と、１台または複数台の給水ポンプと、信号出力機能を有する水位計と、該水位計の信号を単位時間毎に計測し演算処理および保存するデータ保存機能を有する演算装置を用いて、水位の変動に要した計測時間と、その水位差分の水槽容積と、該ポンプの吐出量演算式より求めたポンプ吐出量から、計測時間帯の流出量を求める、給水ポンプ運転中の水槽外への流出量予測演算方法であって、前記給水ポンプ停止中の水槽外への流出量と、同給水ポンプ運転直後の水位変化から演算される数式１ないし１９と２１により、水槽内の任意水位に対する給水ポンプの吐出量を求め、前記水位計の計測水位に対する給水ポンプの算出吐出量と、水槽内の水位変化量から数式２０に示すように流出量（ｑｏｕｔ）の演算により、給水ポンプ運転中の水槽外への流出量を予測演算することを特徴とする方法。
前記数式１
0005213295.tif 000031
前記数式２
0005213295.tif 000032
前記数式３
0005213295.tif 000033
前記数式４
0005213295.tif 000034
前記数式５
0005213295.tif 000035
前記数式６
0005213295.tif 000036
前記数式７
0005213295.tif 000037
前記数式８
0005213295.tif 000038
前記数式９
0005213295.tif 000039
前記数式１０
0005213295.tif 000040
前記数式１１
0005213295.tif 000041
前記数式１２
0005213295.tif 000042
前記数式１３
0005213295.tif 000043
前記数式１４
0005213295.tif 000044
前記数式１５
0005213295.tif 000045
前記数式１６
0005213295.tif 000046
前記数式１７
0005213295.tif 000047
前記数式１８
0005213295.tif 000048
前記数式１９
0005213295.tif 000049
前記数式２０
0005213295.tif 000050
前記数式２１
0005213295.tif 000051
【請求項２】
水位変化量から容積を算出できる水槽と、１台または複数台の給水ポンプと、信号出力機能を有する水位計と、該水位計の信号を単位時間毎に計測し演算処理および保存するデータ保存機能を有する演算装置を備えて、水位の変動に要した計測時間と、その水位差分の水槽容積と、該ポンプの吐出量演算式より求めたポンプ吐出量から、計測時間帯の流出量を求める、給水ポンプ運転中の水槽外への流出量予測演算装置であって、前記給水ポンプ停止中の水槽外への流出量と、同給水ポンプ運転直後の水位変化から演算される請求項１記載の数式１ないし１９と２１により、水槽内の任意水位に対する給水ポンプの吐出量を求め、前記水位計の計測水位に対する給水ポンプの算出吐出量と、水槽内の水位変化量から請求項１記載の数式２０に示すように流出量（ｑｏｕｔ）の演算により、給水ポンプ運転中の水槽外への流出量が予測演算できるよう構成したことを特徴とする装置。
【請求項３】
給水ポンプの運転台数増加時には、増加前の演算流出量と、増加直後の水位変化により、水槽内の任意水位に対する運転台数増加後の吐出量を数式２２に示すように演算間隔毎の流出容積（ΔＶｏｕｔ）を算出加算して積算流出容積（Ｖｏｕｔ）を演算することにより、水位計の計測水位に対するポンプ運転台数増加後の吐出量を演算することを特徴する、請求項１記載の給水ポンプ運転中の水槽外への流出量予測演算方法。
前記数式２２
0005213295.tif 000052
【請求項４】
水位計による水槽の測定水位に対する給水ポンプの正常運転時の演算吐出量を学習保存し、該給水ポンプ運転直後の吐出量演算結果に対して、該学習保存のデータから平均水位における該給水ポンプの平均吐出量（Ｑｐｍ）を求めることで、請求項１記載の数式１１に基づいて異常低下を判定することを特徴とする、請求項１記載の給水ポンプ運転中の水槽外への流出量予測演算方法。
【請求項５】
用いられる水位計はアナログ信号出力機能を有するものであって、該水位計のアナログ信号の計測タイミングを単位時間毎に変え、請求項１記載の数式１に基づいて請求項１記載の数式１，２に示すように該計測タイミングを単位時間毎の各水位の演算値の差から求められた水位差を、単位水位幅として計測し演算処理および保存することを特徴とする、請求項１記載の給水ポンプ運転中の水槽外への流出量予測演算方法。
【請求項６】
用いられる水位計がアナログ信号出力機能を有するものであることを特徴とする、請求項２記載の給水ポンプ運転中の水槽外への流出量予測演算装置。
【請求項７】
水位計には、単位水位幅毎にデジタル信号を出力する機能を有するものが使用される、または、単位水位幅に達するとデジタル信号を出力する機能を有するものが組合わされて使用されることを特徴とする、請求項２記載の給水ポンプ運転中の水槽外への流出量予測演算装置。
【発明の詳細な説明】
【発明の技術分野】
【０００１】  本発明は、主として貯水槽を利用した給水ポンプ施設などの水槽外へ流出する水の流出量を適確に予測するための、給水ポンプ運転中の水槽外への流出量予測演算方法および装置に関するものである。
【従来技術とその問題点】
【０００２】  従来は、上限水位で給水を開始し下限水位で給水を完了する給水ポンプ施設で、ポンプ停止中の上限水位から下限水位へ到達する時間より演算した単位時間当りの水槽外への流出量が、ポンプ運転中も継続するものと仮定して積算流出量を演算する。また、水槽外への上記流出量と、水槽内における上限・下限水位間の容積と、ポンプ定格吐出量（設定値）、の三要素に基づいてポンプ運転開始からの上限水位到達時刻を予測し、該到達予想時刻時における実際の水位状態により、エアロックや吸込閉塞によるポンプ吐出量の減少を判定している。
【解決しようとする問題点】
【０００３】  しかし上記従来技術は、ポンプ停止時間に比しポンプ運転時間が少ない施設を想定して、水槽外へのポンプ停止中の流入量がポンプ運転中も継続するものと仮定しているが、実際の給水ポンプ施設ではポンプ運転中も水槽外への流出量が変動することがあり、従ってポンプ運転時間が長い施設ほど予測と実際との乖離が大きくなる。
【０００４】  また従来技術では、ポンプ吐出量の変動は考慮されていないが、実際の給水ポンプ施設ではポンプ運転により水槽内の水位が上昇することで、ポンプ給水に要する実揚程が大きくなり、ポンプ吐出量自体も減少する。つまり、ポンプ運転中にポンプ吐出量と流出量の二要素が変動することとなり、ポンプ運転中の水槽外への流出量の変動を知るためには、ポンプ運転中のポンプ吐出量の変動を知る必要がある。
【０００５】  更にまた従来技術では、ポンプ定格吐出量（設定値）を用いているが、複数台の異なる仕様のポンプ組合せで給水する場合に、ポンプ定格吐出量の和とポンプ正常運転時の実吐出量の和に差異が生じる。これは並列運転を基本とするポンプの仕様は並列運転時の吐出量を定格吐出量とし、単独運転を基本とするポンプはポンプ単独運転時の吐出量を定格吐出量とするため、基本と異なる運転状態では定格吐出量と実吐出量に差異が生じるもので、この差異を事前に把握することは困難である。
【０００６】  そして従来技術では、給水完了となる上限水位到達時刻を予想し、該予想時刻における水位状態によってポンプ実吐出量の減少（エアロックや吸込閉塞）を判定するため、予想時刻に達するまでは判定不能であり、ポンプ実吐出量の減少を判定するのに時間が掛るという欠点がある。
【発明の目的】
【０００７】
【発明の目的】
本発明の目的は、上記従来技術の欠点を払拭し、ポンプ運転中の流出量の変動にも適正に対応し得て積算流出容積の信頼性を高め、ポンプ吐出量の異常低下に対する早期判定とその信頼性を向上させ得る、給水ポンプ運転中の水槽外への流出量予測演算方法および装置を提供することにある。
【問題を解決するための手段】
【０００８】
【問題を解決するための手段】
上述の問題を解決するため請求項１に記載の発明では、水位変化量から容積を算出できる水槽と、１台または複数台の給水ポンプと、信号出力機能を有する水位計と、該水位計の信号を単位時間毎に計測し演算処理および保存するデータ保存機能を有する演算装置を用いて、水位の変動に要した計測時間と、その水位差分の水槽容積と、該ポンプの吐出量演算式より求めたポンプ吐出量から、計測時間帯の流出量を求める、給水ポンプ運転中の水槽外への流出量予測演算方法において、前記給水ポンプ停止中の水槽外への流出量と、同給水ポンプ運転直後の水位変化から演算される請求項１記載の数式１ないし１９と２１により、水槽内の任意水位に対する給水ポンプの吐出量を求め、前記水位計の計測水位に対する給水ポンプの算出吐出量と、水槽内の水位変化量から請求項１記載の数式２０に示すように流出量（ｑｏｕｔ）の演算により、給水ポンプ運転中の水槽外への流出量を予測演算することを特徴とする。また、請求項２に記載の発明では、水位変化量から容積を算出できる水槽と、１台または複数台の給水ポンプと、信号出力機能を有する水位計と、該水位計の単位時間毎に計測し演算処理および保存するデータ保存機能に有する演算装置を備えて、水位の変動に要した計測時間と、その水位差分の水槽容積と、該ポンプの吐出量演算式より求めたポンプ吐出量から、計測時間帯の流出量を求める給水ポンプ運転中の水槽外への流出量予測演算装置において、前記給水ポンプ停止中の水槽外への流出量と、同給水ポンプ運転直後の水位変化から演算される前記数式１ないし１９と２１により、水槽内の任意水位に対する給水ポンプの吐出量を求め、前記水位計の計測水位に対する給水ポンプの算出吐出量と、水槽内の水位変化量から前記数式２０に示すように流出量（ｑｏｕｔ）の演算により、給水ポンプ運転中の水槽外への流出量が予測演算できるよう構成したことを特徴とする。また、請求項３に記載の発明では、請求項１記載の給水ポンプ運転中の水槽外への流出量予測演算方法において、給水ポンプの運転台数増加時には、増加前の演算流出量と、増加直後の水位変化により、水槽内の任意水位に対する運転台数増加後の吐出量を請求項３記載の数式２２に示すように演算間隔毎の流出容積（ΔＶｏｕｔ）を算出加算して積算流出容積（Ｖｏｕｔ）を演算することにより、水位計の計測水位に対するポンプ運転台数増加後の吐出量を演算することを特徴とする。また、請求項４記載の発明では、請求項１記載の給水ポンプ運転中の水槽外への流出量予測演算方法において、水位計による水槽の測定水位に対する給水ポンプの正常運転時の演算吐出量を学習保存し、該給水ポンプ運転直後の吐出量演算結果に対して、該学習保存のデータから平均水位における該給水ポンプの平均吐出量（Ｑｐｍ）を求めることで、請求項４記載の数式１１に基づいて異常低下を判定することを特徴とする。また、請求項５に記載の発明では、請求項１記載の給水ポンプ運転中の水槽外への流出量予測演算方法において、用いられる水位計はアナログ信号出力機能を有するものであって、該水位計のアナログ信号の計測タイミングを単位時間毎に変え、前記数式１に基づいて前記数式１，２に示すように該計測タイミングを単位時間���の各水位の演算値の差から求められた水位差を、単位水位幅として計測し演算処理および保存することを特徴とする。また、請求項６に記載の発明では、請求項２記載の給水ポンプ運転中の水槽外への流出量予測演算装置において、用いられる水位計がアナログ信号出力機能を有するものであることを特徴とする。また、請求項７に記載の発明では、請求項２記載の給水ポンプ運転中の水槽外への流出量予測演算装置において、水位計には、単位水位幅毎にデジタル信号を出力する機能を有するものが使用される、または、単位水位幅に達するとデジタル信号を出力する機能を有するものが組合わされて使用されることを特徴とする。
【作用】
【０００９】  ポンプ停止中の流出量がポンプ運転初期も継続するものと仮定することで、ポンプ運転初期の水位変動から任意水位におけるポンプ吐出量を求めることが可能となる。また、水位変動に対するポンプ吐出量を演算することで、ポンプ運転中の流出量の変動を求めることが可能となる。更にまた、各ポンプ組合せに対する直近のポンプ吐出量を記録することで、最新のポンプ実吐出量を知ることが可能となる。
【実施例】
【００１０】  本発明により水位変動に対するポンプ吐出量を演算するについて、ポンプ停止中の流出量がポンプ運転の初期においても継続するものと仮定することでポンプ運転初期の流出量を一定とし、ポンプ運転初期の水位変動から任意水位におけるポンプ吐出量演算式を確定することでポンプ吐出量を求めようとする点については従来と同様である。しかし上記吐出量演算式の確定以降は、水位変動に要した計測時間と、その水位差分の水槽容積と、当該ポンプ吐出量演算式より求めたポンプ吐出量から、計測時間帯の流出量を求める。【００１１】
追従運転など、ポンプ運転台数の増加が生じたときも、ポンプ運転台数増加前の流出量が、ポンプ運転台数増加直後も継続するものと仮定し、ポンプ運転台数増加初期の流出量を一定とし、ポンプ運転台数増加初期の水位変動から任意水位においけるポンプ吐出量演算式を再度確定することで、ポンプ運転台数増加後の吐出量を求めることにより、任意のポンプ運転組合せの吐出量演算式を確定できる。即ち、例えば任意の(1)ポンプ運転初期の等間隔の計測時刻ｔ１，ｔ２，ｔ３における水槽内水位ｙ１，ｙ２，ｙ３を測定し、(2)水位ｙ１，ｙ２より求めた給水容積と、流出量ｑｏｕｔ０より、ポンプ吐出量Ｑｐ１を求め、(3)水位ｙ２，ｙ３より求めた給水容積と、流出量ｑｏｕｔ０より、ポンプ吐出量Ｑｐ２を求め、(4)ポンプ吐出量Ｑｐ１，Ｑｐ２より、ポンプ吐出量演算式Ｑｐｍ＝ｆ（ｙｍ）を求め、(5)計測時刻ｔ４以降は、水位より求めた給水容積と、演算したポンプ吐出量より、流出量を求める。このように、測定間隔毎の流出量を演算することで、ポンプ運転初期以降の流出量の変動が生じても、その変動に応じた積算流出容積を求めることができる。
【００１２】  ポンプ運転組合せによる実吐出量（ポンプ性能特性）を補正するについては、当該吐出量演算式の確定に際し各ポンプ運転組合せに対するポンプ性能特性を学習することで、エアロックや吸込閉塞に基因するポンプ実吐出量の減少を当該吐出量演算式の確定時に判定することができる。下記の表１にポンプ２台時の組合せパターンの事例を示す。【００１３】
【表１】
0005213295.tif 000002
【００１４】
本発明演算法では、水位計アナログ値ｘより、水位工業単位値ｙに変換する下記の数式１を用意する。
【００１５】
【数１】
0005213295.tif 000003
【００１６】ポンプ停止中および運転初期の流出量に関しては、従来と同様にポンプ停止中の流出量を計測・演算し、ポンプ運転初期も継続するものと仮定する。【００１７】ポンプ始動からポンプ加速中は給水量が安定しないため、ポンプ始動時間ｔｐ＊ｓ（設定値）中は、流出量ｑｏｕｔｏ＝ｑｏｕｔｓと仮定する。この関係を座標で示せば図１のようになる。【００１８】  演算間隔０回目の処理として、ポンプ始動時刻ｔｐｓ：（ｓｅｃ）での水位ｙｐｓ：（ｍ）の演算を下記の数式２により行なう。【００１９】
【数２】
0005213295.tif 000004
【００２０】  演算間隔１回目の処理として、ポンプ加速完了時刻ｔ１＝ｔｐｓ＋Ｔｐ＊ｓ：（ｓｅｃ）での水位ｙ１：（ｍ）の演算を下記の数式３により行なう。【００２１】
【数３】
0005213295.tif 000005
【００２２】
演算間隔１回目の処理として次に、ポンプ給水容積ΔＶｉｎ：（ｍ３）及びポンプ吐出量Ｑｐ：（ｍ３／ｍｉｎ）の演算を下記の数式５により行なう。
【００２３】
【数４】
0005213295.tif 000006
【００２４】
演算間隔１回目の処理として次に、ポンプ給水容積ΔＶｉｎ：（ｍ３）及びポンプ吐出量Ｑｐ：（ｍ３／ｍｉｎ）の演算を下記の数式５により行なう。
【００２５】
【数５】
0005213295.tif 000007
【００２６】
演算間隔１回目の処理として次に、流出容積ΔＶｏｕｔ（１）を下記の数式６により計測時間帯の積算流出容積（流出時刻基準）Ｖｏｕｔに加算する。
【００２７】
【数６】
0005213295.tif 000008
【００２８】  ポンプ運転中においては、ポンプの運転が安定して水位上昇と共にポンプ吐出量は減少する。このときポンプ吐出量は水位上昇に対して直線的に減少するものと仮定する。また、ポンプ運転初期も流出量ｑｏｕｔ１＝ｑｏｕｔ０と仮定する。ポンプ運転初期のｔ１，ｔ２，ｔ３の演算から任意水位ｙｎにおけるポンプ吐出量Ｑｐｎの換算式を作成し、以降の流出量の補正に使用する。この関係を座標で示せば図２のようになる。【００２９】  演算間隔２回目の処理として、サンプリング時刻［ｔ２：（ｓｅｃ）］での水位［ｙ２：（ｍ）］の演算を下記の数式７により行う。【００３０】
【数７】
0005213295.tif 000009
【００３１】
演算間隔２回目の処理として次に、流出容積［ΔＶｏｕｔ（ｍ３）］の演算を下記の数式８により行う。
【００３２】
【数８】
0005213295.tif 000010
【００３３】
演算間隔２回目の処理として次に、ポンプ給水容積［ΔＶｉｎ：（ｍ３）］及びポンプ吐出量［Ｑｐ：（ｍ３／ｍｉｎ）］の演算を下記の数式９により行う。
【００３４】
【数９】
0005213295.tif 000011
【００３５】
演算間隔２回目の処理として次に、流出容積［ΔＶｏｕｔ］を下記の数式１０により計測時間帯の積算流出容積（流出時刻基準）［Ｖｏｕｔ］に加算する。
【００３６】
【数１０】
0005213295.tif 000012
【００３７】  演算間隔２回目の処理として次に、学習データより、平均水位［ｙ（１−２）］における平均吐出量［Ｑｐｍ］を確認し、下記の数式１１によりＱｐ（２）と比較する。【００３８】
【数１１】
0005213295.tif 000013
【００３９】  演算間隔３回目の処理として、サンプリング時刻［ｔ３：（ｓｅｃ）］での水位［ｙ３：（ｍ）］の演算を下記の数式１２により行う。【００４０】
【数１２】
0005213295.tif 000014
【００４１】
演算間隔３回目の処理として次に、流出容積［ΔＶｏｕｔ（ｍ３）］の演算を下記の数式１３により行う。
【００４２】
【数１３】
0005213295.tif 000015
【００４３】
演算間隔３回目の処理として次に、ポンプ給水容積［ΔＶｉｎ（ｍ３）］及びポンプ吐出量［Ｑｐ（ｍ３／ｍｉｎ）］の演算を下記の数式１４により行う。
【００４４】
【数１４】
0005213295.tif 000016
【００４５】
演算間隔３回目の処理として次に、流出容積［ΔＶｏｕｔ］を下記の数式１５により計測時間帯の積算流出容積（流出時刻基準）［Ｖｏｕｔ］に加算する。
【００４６】
【数１５】
0005213295.tif 000017
【００４７】  演算間隔３回目の処理として次に、学習データより、平均水位［ｙ（２−３）］に於ける平均吐出量［Ｑｐｍ］を確認し、下記の数式１６によりＱｐ（３）と比較する。【００４８】
【数１６】
0005213295.tif 000018
【００４９】  下記の数式１７により、水位の変化［ｙ（１−２）→ｙ（２−３）］に対するポンプ吐出量の変化［Ｑｐ（２）→Ｑｐ（３）］から、任意の水位［ｙ（ｍ−ｎ）］に対するポンプ吐出量［Ｑｐｍ］の変化式を演算する。この関係を座標で示せば図３のようになる。【００５０】
【数１７】
0005213295.tif 000019
【００５１】  上記数式１７において、任意水位に於けるポンプ吐出量演算式は、水位変化に対してポンプ吐出量が直線的に変化するものとした変化式となる。即ち、ポンプ特性曲線（３次式）に対して、実際の運転範囲で特性曲線の全域を利用するケースは少なくその一部で運転される為、直線的に変化すると仮定しても演算上は問題ないと判断するのである。また、上記数式１７をポンプ運転の組合せパターンに対して記録・学習する。但し、演算結果（Ｑｐ１，Ｑｐ２）より、各注意報のカウントアップされたデータは記録しない。【００５２】  演算間隔４回目の処理として、サンプリング時刻［ｔ４：（ｓｅｃ）］での水位［ｙ４：（ｍ）］の演算を下記の数式１８により行う。【００５３】
【数１８】
0005213295.tif 000020
【００５４】
演算間隔４回目の処理として次に、ポンプ吐出量［Ｑｐ：（ｍ３／ｍｉｎ）］及び給水容積［ΔＶｉｎ：（ｍ３）］の演算を下記の数式１９により行う。
【００５５】
【数１９】
0005213295.tif 000021
【００５６】
演算間隔４回目の処理として次に、流出容積［ΔＶｏｕｔ：（ｍ３）］及び流出量［ｑｏｕｔ：（ｍ３／ｍｉｎ）］の演算を下記の数式２０により行う。
【００５７】
【数２０】
0005213295.tif 000022
【００５８】
演算間隔４回目の処理として次に、流出容積［ΔＶｏｕｔ］を下記の数式２１により計測時間帯の積算流出容積（流出時刻基準）［Ｖｏｕｔ］に加算する。
【００５９】
【数２１】
0005213295.tif 000023
【００６０】  演算間隔５回目以降の処理については、演算間隔毎にポンプ停止までポンプ吐出量・流出量を補正しながら演算していく。【００６１】  ポンプ２台目以降の運転に関し、２台目始動時の１台目ポンプの演算処理については、２台目ポンプの始動時刻は予測できないため、１台目ポンプの流出量の補正は中断し直前の流出量（補正値）を採用して、給水量を演算する。サンプリング時刻［ｔ１ｎ：（ｓｅｃ）］の演算が確定し、サンプリング時刻［ｔ１ｎ＋１：（ｓｅｃ）］迄に２台目ポンプが運転した（サンプリング時刻［ｔ２ｐｓ：（ｓｅｃ）］場合、下記の数式２２による。【００６２】
【数２２】
0005213295.tif 000024
【００６３】  ２台目始動時の演算処理について、１台目と同様にポンプ始動時間中は、直前の流出量［ｑｏｕｔ１ｎ＋１］をそのまま採用する。【００６４】
２台運転中の演算処理について、１台目と同様にポンプ吐出量は水位上昇に対して直線的に減少するものと仮定し、又、ポンプ運転加速中は流出量［ｑｏｕｔ１ｎ＋１］が変化しないと仮定して、２台運転時のポンプ吐出量演算式を求め、演算間隔毎の流出容積［ΔＶｏｕｔ（ｍ３）］を演算し積算流出容積に加算していく。
【００６５】  次に学習機能について、ポンプ始動時の測定ポイントとして、▲１▼ポンプ始動から加速時間経過後のポイントｔ１、▲２▼上記ｔ１から吐出流量演算間隔（時間または水位）経過後のポイントｔ２、▲３▼上記ｔ２から吐出流量演算間隔（時間または水位）経過後のポイントｔ３、の３点の運転データよりポンプ運転の組合せパターンに対する特性式を学習し、ポンプ運転中の流出量変動の基礎式とする。上記関係を座標で示せば図４のようになる。【００６６】  測定ポイントｔ１，ｔ２およびｔ２，ｔ３の運転データをもとに下記の数式２３および２４により演算を行う。【００６７】
【数２３】
0005213295.tif 000025
【００６８】
【数２４】
0005213295.tif 000026
【００６９】  上記数式２３，２４により、各平均水位におけるポンプ吐出量を演算して座標で示せば図３のようになる。【００７０】  任意水位に対するポンプ吐出量の変換式は、下記数式２５のごとくである。【００７１】
【数２５】
0005213295.tif 000027
【００７２】  上記したＱｐ（ｍａｘ），Ｑｐ（ｍｉｎ）をポンプ運転組合せパターンとして記録する。但し、記録件数は５件程度とし、古いデータから逐次更新する。初期値は、各組合せの水位上限値における想定吐出量Ｑｐ（ｍｉｎ）と、水位下限値における想定吐出量Ｑｐ（ｍａｘ）を登録する。下記の表２にポンプ２台時の組合せパターンの事例を示す。【００７３】
【表２】
0005213295.tif 000028
【００７４】  今回測定値が、下記の判定を満足するときに最新値として記録に加える。判定１：水位変動と流量変動に矛盾がない。判定２：水位差が過少でない。判定３：流量が過大でない。判定４：流量が過少でない。判定５：流量差が過少でない。下記の表３にその事例を示す。【００７５】
【表３】
0005213295.tif 000029
【００７６】  記録データを平均化するために、例えばデータ５件（上限５点、下限５点）から、任意水位に対するポンプ吐出量を下記の数式２６により算出する。【００７７】
【数２６】
0005213295.tif 000030
【００７８】  本発明方法を実施するについては、例えば図５に略示するような装置が用いられる。
【発明の効果】
【００７９】  本発明によれば、ポンプ運転中の流出量の変動に対しても、それを予測演算することが可能となり、帳票集計上の積算流出容積が実際の流出量の変動に、より近い帳票を集計することができるという利点がある。また、学習機能により直近のポンプ正常時の実吐出量を知ることができ、エアロックや吸込閉塞によるポンプ吐出量の異常低下が、ポンプ運転初期の吐出量演算時点で判定可能となり、更にその派生的効果として、エアロックや吸込閉塞などによるポンプ吐出量の異常低下と、経年変化による吐出量の低下とが明確に判別できることになる。
【図面の簡単な説明】
【図１】  ポンプ始動から加速中の水槽内の水位変化を示す線図である。
【図２】  ポンプ定速運転中の水槽内の水位変化を示す線図である。
【図３】  ポンプ定速運転中の水位変化に対するポンプ吐出量の変化を示す線図である。
【図４】  ポンプ運転中の水槽内の水位変化を示す線図である。
【図５】  本発明の一実施例のブロック図である。
【図１】
0005213295.tif 000053
【図２】
0005213295.tif 000054
【図３】
0005213295.tif 000055
【図４】
0005213295.tif 000056
【図５】
0005213295.tif 000057